(57)【要約】【課題】床面の清掃性が良いとともに、健常者から高齢者にも快適に使用できるようにした設備ユニットを提供する。【解決手段】防水パンと、この防水パンの床面の外周縁に立設する壁体、及び出入口枠とを備える設備ユニットであって、前記出入口枠を防水パンの長辺側に取付け、便器を、前記出入口枠と対向する長辺側の壁体に向けて、又は、前記壁体に対して斜めに向けて設置する。また、上記において、便器を、出入口枠と対向する壁体に対して、略６０°の方向に向けて設置する。さらに、上記において、出入口枠が取付けられた部分の防水パンに凹設して排水溝が設けられ、該排水溝を覆って装着され排水孔を有する排水蓋の上面と前記出入口枠の下面とが略面一とされ、前記防水パンの床面を前記排水溝に向けて下り勾配に形成する。【選択図】図１
2006063796.tif 000002
【特許請求の範囲】
【請求項１】
防水パンと、この防水パンの床面の外周縁に立設する壁体、及び出入口枠とを備える設備ユニットであって、前記出入口枠を防水パンの長辺側に取付け、便器を、前記出入口枠と対向する長辺側の壁体に向けて、又は、前記壁体に対して斜めに向けて設置した設備ユニット。
【請求項２】
請求項１において、便器を、出入口枠と対向する壁体に対して、略６０°の方向に向けて設置した設備ユニット。
【請求項３】
請求項１又は２において、出入口枠が取付けられた部分の防水パンに凹設して排水溝が設けられ、該排水溝を覆って装着され排水孔を有する排水蓋の上面と前記出入口枠の下面とが略面一とされ、前記防水パンの床面を前記排水溝に向けて下り勾配に形成してなることを特徴とする設備ユニット。
【請求項４】
請求項１〜３の何れかにおいて、排水溝が、該排水溝が設けられた辺側から他辺側に延長して形成され、その延長した部分に排水口を穿設してなる設備ユニット。
【請求項５】
請求項１〜４の何れかにおいて、防水パンの短辺側の外寸法が９００ｍｍ以下、長辺側の外寸法が１９００ｍｍ以下である設備ユニット。
【発明の詳細な説明】
【技術分野】
【０００１】
本発明は、便器又はシャワーのいずれか一方、あるいは両方を備えた設備ユニットに関する。
【背景技術】
【０００２】
従来、この種の設備ユニットとして、図５に示すように、短辺側の外寸法Ｄが約１２５０ｍｍ、長辺側の外寸法Ｗが約１６７０ｍｍ程度とした設備ユニット２０内に、便器６、シャワー７及び洗面台１２が設けられ、長辺側に出入口枠４を取付けて床面にすのこ２１を載置するようにしたものが上市されている。
【特許文献１】特開平  ８−２６０５３８号公報
【特許文献２】特開平  ８−２７７５５８号公報
【特許文献３】特開平  ６−３０２６７号公報
【特許文献４】特開平  ８−１７７０９８号公報
【特許文献５】実開昭５０−８７４３号公報
【発明の開示】
【発明が解決しようとする課題】
【０００３】
しかしながら、従来の技術で述べた図５に示す設備ユニツトにおいては、床面にすのこ２１を載置する構造であるため、すのこ２１や設備ユニット自体の床面の清掃性に問題点を有しているとともに、高齢者の出入りや車椅子に座ったままで入浴できるようにしたシャワー用車椅子などと称される入浴用車椅子などでの出入りを配慮したものではないため、高齢者や身体に障害を持つ人にとっては使いにくい問題点を有していた。
【０００４】
本発明は、従来の技術の有するこのような問題点に鑑みてなされたもので、床面の清掃性が良いとともに、併せて、健常者はもちろん高齢者にも快適に使用できるようにした設備ユニットを提供することを目的とする。
【課題を解決するための手段】
【０００５】
上記目的を達成するために、請求項１記載の発明は、防水パンと、この防水パンの床面の外周縁に立設する壁体、及び出入口枠とを備える設備ユニットにおいて、車椅子などを使用しての出入りの際に出入口の開口幅が広くできるようにするため、出入口枠を防水パンの長辺側に取付け、便器を、前記出入口枠と対向する長辺側の壁体に向けて、又は、前記壁体に対して斜めに向けて設置したことを特徴とする。
【０００６】
請求項２に記載の発明は、請求項１において、便器を、出入口枠と対向する壁体に対して、略６０°の方向に向けて設置したことを特徴とする。
【０００７】
請求項３記載の発明は、請求項１又は２において、出入口枠が取付けられた部分の防水パンに凹設して排水溝が設けられ、該排水溝を覆って装着され排水孔を有する排水蓋の上面と前記出入口枠の下面とが略面一とされ、前記防水パンの床面を前記排水溝に向けて下り勾配に形成してなることを特徴とする。
【０００８】
請求項４記載の発明は、請求項１〜３の何れかにおいて、排水溝に穿設して設けられる排水口に接続される配管や排水トラップが、設備ユニットが設置される建物の土台や根太などに当たらないようにするため、請求項１〜４の何れかに記載の発明において、排水溝が、該排水溝が設けられ辺側から他辺側に延長して形成され、その延長した部分に排水口を穿設してなることを特徴とする。
【０００９】
請求項５記載の発明は、既設の一間間口の押入れスペース内への設置を可能とするために、請求項１〜４の何れかに記載の発明において、防水パンの短辺側の外寸法が９００ｍｍ以下、長辺側の外寸法が１９００ｍｍ以下であることを特徴とする。
【発明の効果】
【００１０】
本発明による請求項１記載の設備ユニットは、出入口枠を防水パンの長辺側に取付けるとともに、便器を出入口枠と対向する長辺側の壁体に向けて、又は、前記壁体に対して斜めに向けて設置する構成としており、広い出入口から入浴用車椅子などによる便器へのアプローチが容易となる効果がある。
【００１１】
請求項２記載の設備ユニットは、便器を、出入口枠と対向する壁体に対して、略６０°の方向に向けて設置する構成としており、請求項１と同様に便器へのアプローチが容易であるばかりでなく、図３に示されるように、便器の両側に、車椅子の車輪や足を置くスペースが確保される効果がある。
【００１２】
請求項３記載の設備ユニットは、出入口枠が取付けられた部分の防水パンに凹設して排水溝が設けられ、該排水溝を覆って装着され排水孔を有する排水蓋の上面と前記出入口枠の下面とが略面一となる構成としており、出入口部分の段差がないので、健常者はもちろん高齢者や車椅子使用者にも出入りが容易となって快適に使用することができ、また、床面の清掃性が良い効果ある。
【００１３】
請求項４記載の設備ユニットは、排水溝が、該排水溝が設けられ辺側から他辺側に延長して形成され、その延長した部分に排水口を穿設してなる構成としており、排水溝に穿設して設けられる排水口に接続される配管や排水トラップが、設備ユニットが設置される建物の土台や根太などに当たらないようにすることができる。
【００１４】
さらに、請求項５記載のように、防水パンの短辺側の外寸法を９００ｍｍ以下、長辺側の外寸法を１９００ｍｍ以下とすれば、一間の間口の押入れ内にも設置可能な設備ユニットとなる。
【発明を実施するための最良の形態】
【００１５】
以下、本発明に係る設備ユニットの実施形態について、図１乃至図４を参照しながら詳細に説明する。
【００１６】
図１（ａ）は本発明に係る設備ユニットの一実施形態の平面図、図１（ｂ）は（ａ）中のＡ−Ａ拡大断面図である。
【００１７】
図１（ａ）において、短辺側の外寸法Ｄを８２０ｍｍ、長辺側の外寸法Ｗを１６７０ｍｍとなるように形成した平面視が方形状の防水パン２はガラス繊維などを補強材としたＦＲＰで形成され、この防水パン２の短辺側の２辺と長辺側の一辺の外周縁には壁体３を、残りの長辺側の外周縁には出入口枠４が図１（ｂ）に示すように立設して取付けられ、図示は省略したが天井部分には天井パネルを取付けて設備ユニット１としての部屋が構成される。
【００１８】
上記防水パン２の出入口枠４が取付けられた長辺側には図１（ｂ）に示すように、防水パン２の床面２ａを凹設して排水溝２ｂが長辺側の全体に走設して設けられており、出入口段差がないように上記排水溝２ｂを覆って、排水孔を備えた排水蓋９の上面が前記出入口枠４における下枠の下面４ａと略面一となるように装着されている。
上記排水溝２ｂは図１（ｂ）に示すように、排水口２ｃに接続される配管や排水トラップ１０が建物の土台や根太１３部分を避けるために、防水パン２の短辺側に少し延長して形成されており、この延長した部分の排水溝の底面に排水口２ｃを穿設して排水トラップ１０を接続し、延長された短辺側の排水溝の部分も排水蓋９ａを前記出入口枠４における下枠の下面４ａと略面一となるように装着する。
なお、防水パン２の床面２ａは、前記の排水溝２ｂに向けて下り勾配とした排水勾配が設けられており、また、延長した排水溝部分を覆う排水蓋９ａには前記排水蓋９と同様の排水孔を設けなくてもよい。
【００１９】
図１（ａ）に示すように前記出入口枠４には３枚の引戸５が取付けられ、設備ユニット１内には便器６、シャワー７が設けられ、便器６とシャワー７の間にはカーテン８などの間仕切りを設ける。
【００２０】
なお、上記実施例による設備ユニット１の出入口開口高さは約１７５０ｍｍとした。
【００２１】
図２（ａ）は、防水パン２の短辺側に出入口枠４を取付ける場合の実施形態を示し、この出入口枠４を取付けた部分の防水パン２の床面２ａを凹設して前記と同様の排水溝を設け、この排水溝には出入口枠４の下面と略面一となるように排水孔を設けた排水蓋９が装着される。
【００２２】
図２（ｂ）は、図１においては短辺側に延長した排水溝を、長辺側の略中央部に延長する場合の実施形態を示し、前記と同様に排水溝の底面に排水口２ｃを穿設して排水溝部分には排水蓋９ａが装着される。
【００２３】
図２（ｃ）は、図１においては短辺側の一方のみに延長した排水溝を、短辺側の両方に延長して排水溝を設ける場合の実施形態を示し、この場合には、延長した一方側の排水溝部分にのみ排水口２ｃが設けられる。
【００２４】
図３（ａ）及び（ｂ）はそれぞれ便器の設置方向の実施形態を示し、（ａ）は便器６を防水パン２の長辺側に対して約６０度の角度に設置した場合の入浴用車椅子（シャワー用車椅子）を使用しての便器６へのアプローチ例を示し、（ｂ）は便器６を防水パン２の長辺側に向けて設置した場合の入浴用車椅子（シャワー用車椅子）を使用しての便器６へのアプローチ例を示す。
【００２５】
図４は設備ユニット１内に、便器６、シャワー７に加えて洗面台１２を設置する場合の実施形態を示す平面図である。
【図面の簡単な説明】
【００２６】
【図１】（ａ）は本発明に係る設備ユニットの一実施形態の平面図、（ｂ）は（ａ）中のＡ−Ａ拡大断面図である。
【図２】（ａ）、（ｂ）及び（ｃ）はそれぞれ本発明に係る設備ユニットにおける図１とは別の実施形態の平面図である。
【図３】（ａ）及び（ｂ）は図１及び図２とは別の実施形態による設備ユニットの平面図である。
【図４】図１の設備ユニット内に洗面台を設けた実施形態の平面図である。
【図５】従来例による設備ユニットを示す平面図である。
【符号の説明】
【００２７】
１・・・設備ユニット                            ２・・・防水パン
２ａ・・・床面                                  ２ｂ・・・排水溝
２ｃ・・・排水口                                ２ｄ・・・排水穴（便器用）
３・・・壁体                                    ４・・・出入口枠
４ａ・・・下面                                    ５・・・引戸
６・・・便器                                    ７・・・シャワー
８・・・カーテン                                ９・・・排水蓋
９ａ・・・排水蓋                                １０・・・排水トラップ
１１・・・入浴用車椅子                          １２・・・洗面台
１３・・・根太                                  ２０・・・設備ユニット
２１・・・すのこ
【図１】
2006063796.tif 000003
【図２】
2006063796.tif 000004
【図３】
2006063796.tif 000005
【図４】
2006063796.tif 000006
【図５】
2006063796.tif 000007